(57)【要約】【課題】予備走査と本走査を行うアクティブマトリクス型の液晶表示パネルの駆動方法に関し、プロセス負荷やコストの増加を招くことなく、予備書き込みの効果を十分に享受して書き込みの効率の向上を図り、より優れた表示特性を得ることができるようにする。【解決手段】データ信号２６の極性を１水平走査期間毎に反転させる。各画素に所定の画素電圧を書き込むための本走査期間Ａの５走査期間前から４走査期間前にかけて予備走査期間Ｂを設定する。本走査では、ゲート信号２８をデータ信号２６と同時に立ち上げ、データ信号２６の極性が反転する前にゲート信号２８を立ち下げる。【選択図】    図２
2004301989.tif 000002
【特許請求の範囲】
【請求項１】
アクティブマトリクス型の液晶表示パネルの駆動方法であって、
各水平ラインについて予備走査と本走査を行い、該本走査でのゲート信号の立ち上がりタイミングをデータ信号の変化タイミング以降とすることを特徴とする液晶表示パネルの駆動方法。
【請求項２】
アクティブマトリクス型の液晶表示パネルの駆動方法であって、
各水平ラインについて予備走査と本走査を行い、前記予備走査でのゲート信号のオン電圧と前記本走査でのゲート信号のオン電圧を異なるようにすることを特徴とする液晶表示パネルの駆動方法。
【請求項３】
アクティブマトリクス型の液晶表示パネルの駆動方法であって、
各水平ラインについて予備走査と本走査を行い、１走査期間の内、所定の期間を予備書き込みデータ電圧期間に割り当て、該予備書き込みデータ電圧期間中のデータ電圧を所定の予備書き込みデータ電圧とすることを特徴とする液晶表示パネルの駆動方法。
【請求項４】
アクティブマトリクス型の液晶表示パネルの駆動方法であって、
各水平ラインについて予備走査と本走査を行い、予備走査期間と本走査期間の間のゲートオフ電圧を前記本走査期間終了後のゲートオフ電圧よりも高くすることを特徴とする液晶表示パネルの駆動方法。
【請求項５】
アクティブマトリクス型の液晶表示パネルを有する液晶表示装置であって、
前記液晶表示パネルを請求項１〜請求項４のいずれかに記載の液晶表示パネルの駆動方法で駆動することを特徴とする液晶表示装置。
【発明の詳細な説明】
【０００１】
【発明の属する技術分野】
本発明は、アクティブマトリクス型の液晶表示パネルの駆動方法及び液晶表示装置に関する。
【０００２】
近年、アクティブマトリクス型の液晶表示装置は、パソコンを初めとするＯＡ機器に広く利用されており、更に、ＥＷＳ（ｅｎｇｉｎｅｅｒｉｎｇ  ｗｏｒｋｓｔａｔｉｏｎ）等への適用を図って大型化・高精細化が進んでいる。
【０００３】
しかしながら、大型化・高精細化が進むと、ゲート線（走査線）の負荷容量が増加し、ゲート信号（走査信号）が鈍ることによって水平走査時間は実質的に短くなる。このため、スイッチング素子であるＴＦＴ（薄膜トランジスタ）に求められる駆動能力は高くなる一方である。
【０００４】
一般に、ＴＦＴの駆動能力の向上は、ＴＦＴを形成するａ−Ｓｉ（アモルファス・シリコン）の移動度の向上、ＴＦＴのチャネル幅の拡大やチャネル長の縮小、ＴＦＴのゲートオン電圧の高電圧化などによって達成される。
【０００５】
しかし、ａ−Ｓｉの移動度を向上させるためには製造プロセスの大幅な改善が必要であり、また、ＴＦＴのチャネル幅の拡大は寄生容量の増大やソース・ドレイン短絡の増加を招く。
【０００６】
また、現状のフォトリソグラフィ技術によるチャネル長の更なる短縮は簡単ではない。ＴＦＴのゲートオン電圧を高くする方法も、ドライバの制約やＴＦＴに与えるストレスの影響などを考えると容易に適用できない。
【０００７】
そこで、ａ−Ｓｉの特性、ＴＦＴのサイズ、ゲートオン電圧などを大きく変えなくとも、短い走査時間で十分な書き込みを行うための方法として、本来の走査期間に画素を所定電圧まで書き込むより前にゲートオン電圧を印加して予備書き込みを行う方法がある。
【０００８】
この方法では、１画面の走査についてデータ電圧が同極であるような場合は問題ないが、１水平走査毎にデータ電圧の極性が逆になるような場合には、前走査分のデータを読み込んでしまうため、却って効率が低下してしまうという問題があった。
【０００９】
【従来の技術】
図２５は従来のアクティブマトリクス型の液晶表示装置の一例の要部の概略的構成図である。図２５中、１はアクティブマトリクス型の液晶表示パネルであり、２はデータ信号を伝送するデータ線、３はゲート信号を伝送するゲート線である。（ｉ）は液晶表示パネル１の１画素部分の回路構成を示しており、４はスイッチング素子をなすＴＦＴ、５は画素電極、６は対向電極、７ａは液晶、７ｂは蓄積容量である。
【００１０】
８はデータ線２にデータ信号を出力してデータ線２を介してＴＦＴ４のソースを駆動するソース駆動回路であり、複数のソースドライバＩＣで構成される。９はゲート線３にゲート信号を出力してゲート線３を介してＴＦＴ４のゲートを駆動するゲート駆動回路であり、複数のゲートドライバＩＣで構成される。
【００１１】
図２６は液晶表示パネル１の駆動方法の一例を示す電圧波形図である。図２６中、１０はデータ線２上のデータ信号、１１はデータ信号中心、１２はゲート線３上のゲート信号、１３は画素電圧（画素電極５の電圧）を示している。
【００１２】
本駆動方法は、画面ごとにデータ電圧の極性を反転させ、書き込みの効率を高めるために、本来の走査期間である期間Ａより前に期間Ｂで予備書き込みを行うというものである。これによって、画素電圧１３の電圧を本来の走査期間Ａより前に予め所定の電圧ＶＡ（ＶＢ）に近い値にすることができるので、本来の走査期間Ａで、十分に速く所定の電圧ＶＡ（ＶＢ）に到達させることができる。
【００１３】
したがって、本駆動方法によれば、本来の走査期間Ａだけでは時間的に短くて十分に所定の電圧が書き込めないような場合であっても、ＴＦＴ４やゲートオン電圧を変えることなく書き込みを完了させることができる。
【００１４】
【特許文献２】特開平９−２７４１７０号公報
【００１５】
【発明が解決しようとする課題】
図２６に示す従来の液晶表示パネルの駆動方法は、データ電圧が１画面の走査について同極である場合、いわゆるフレーム反転駆動には有効であるが、１水平走査期間毎にデータ電圧の極性が変わるような駆動方法（ドット反転駆動方法、横反転駆動方法）の場合には、図２７に示すように、前水平走査分のデータを読み込んでしまうため、予備書き込みの効果が低下してしまう。
【００１６】
ここで、本走査期間Ａの終了時にゲート信号１２が立ち下がった後、一定期間（データホールド時間）を置いてデータ信号１０を反転させているのは、ゲート信号１２が鈍ることによってＴＦＴ４が十分にオフしていない状態で、次水平走査分のデータが書き込まれないようにするためである。
【００１７】
また、データ電圧が１画面の走査について同極である場合でも、走査時間軸方向（垂直方向）に白と黒が交互に並んでいるようなパターンを表示する場合には、図２８に示すように、前水平走査分のデータを読み込んでしまうため、予備書き込みの効果が低下してしまう。
【００１８】
また、予備書き込みの効果は、予備書き込みを行うデータ電圧に大きく依存する。例えば、本走査で全白（例えば、６４／６４階調）又は全黒（例えば、１／６４階調）を書き込もうとするとき、予備書き込みを行う時点でのデータが全黒または全白であったりすると、本走査で全黒から全白までの書き込みを行うことになるため予備書き込みでのデータが全白または全黒である場合に比べて効率が低下する。
【００１９】
本発明は、かかる点に鑑み、プロセス負荷やコストの増加を招くことなく、予備書き込みの効果を十分に享受して書き込みの効率の向上を図り、より優れた表示特性を得ることができるようにした液晶表示パネルの駆動方法及び液晶表示装置を提供することを目的とする。
【００２０】
【課題を解決するための手段】
本発明の液晶表示パネルの駆動方法及び液晶表示装置は、アクティブマトリクス型の液晶表示パネルの各水平ラインについて予備走査と本走査を行い、本走査でのゲート信号の立ち上がりタイミングをデータ信号の変化タイミング以降とするというものである。
【００２１】
本発明によれば、本走査でのゲート信号の立ち上がりタイミングをデータ信号の変化タイミング以降とするので、垂直方向の１画素前のデータ信号がいかなる電圧であっても、その影響を受けないようにすることができる。したがって、プロセス負荷やコストの増加を招くことなく、予備書き込みの効果を十分に享受して書き込みの効率の向上を図ることができる。
【００２２】
【発明の実施の形態】
図１〜図２４を参照して、本発明の液晶表示装置の第１実施形態、第２実施形態及び本発明の液晶表示パネルの駆動方法の第１実施形態〜第１１実施形態について説明する。
【００２３】
（本発明の液晶表示装置の第１実施形態）
図１は本発明の液晶表示装置の第１実施形態の要部を示す概略的構成図であり、本発明の液晶表示装置の第１実施形態は、本発明の液晶表示パネルの駆動方法の第１実施形態〜第８実施形態を実行するものである。
【００２４】
図１中、１４はアクティブマトリクス型の液晶表示パネルであり、１５はアナログ化されたデータ信号を伝送するデータ線、１６はゲート信号（走査信号）を伝送するゲート線である。（ｊ）は液晶表示パネル１４の１画素部分の回路構成を示しており、１７はスイッチング素子をなすＴＦＴ、１８は画素電極、１９は対向電極、２０ａは液晶、２０ｂは蓄積容量である。
【００２５】
２１はデータ線１５にデータ信号を出力してデータ線１５を介してＴＦＴ１７のソースを駆動するソース駆動回路であり、複数のソースドライバＩＣで構成される。２２はゲート線１６にゲート信号を出力してゲート線１６を介してＴＦＴ１７のゲートを駆動するゲート駆動回路であり、複数のゲートドライバＩＣで構成される。
【００２６】
２３は入力電源Ｖｉｎから内部電源電圧Ｖｃｃ、参照電圧Ｖｒｅｆ、ゲートオン電圧Ｖｇｏｎ（例えば、３０Ｖ）、ゲートオフ電圧Ｖｇｏｆｆ（例えば、−５Ｖ）を生成する内部電圧生成回路、２４は内部電圧生成回路２３から出力される参照電圧Ｖｒｅｆを入力して階調電圧を生成してソース駆動回路２１に供給する階調電圧生成回路である。
【００２７】
２５はデータ信号源（例えば、パソコン）から与えられるデータ信号、同期信号、クロック信号等を入力し、ソース駆動回路２１に対するデータ信号及び制御信号の供給や、ゲート駆動回路２２に対する制御信号の供給を行うタイミング生成回路である。
【００２８】
本発明の液晶表示装置の第１実施形態においては、液晶表示パネル１４は、次に説明する本発明の液晶表示パネルの駆動方法の第１実施形態〜第８実施形態で駆動されるが、本発明の液晶表示装置の第１実施形態は、この点に特徴を有している。
【００２９】
（本発明の液晶表示パネルの駆動方法の第１実施形態・・図２）
図２は本発明の液晶表示パネルの駆動方法の第１実施形態を示す電圧波形図である。図２中、２６はデータ線１５上のデータ信号、２７はデータ信号中心、２８はゲート線１６上のゲート信号、２９は画素電圧（画素電極１８の電圧）を示している。
【００３０】
本実施形態においては、データ信号２６の極性を１水平走査期間毎に反転させる。そして、各画素に所定の画素電圧を書き込むための本走査期間Ａの５走査期間前から４走査期間前にかけて予備走査期間Ｂを設定する。
【００３１】
予備走査では、ゲート信号２８をデータ信号２６が立ち上がる直前に立ち上げ、データ信号２６の極性が反転する前にゲート信号２８を立ち下げる。本走査では、ゲート信号２８をデータ信号２６と同時に立ち上げ、データ信号２６の極性が反転する前にゲート信号２８を立ち下げる。
【００３２】
本実施形態によれば、本走査では、ゲート信号２８をデータ信号２６と同時に立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【００３３】
ここで、予備走査においても、ゲート信号２８の立ち上がりを本走査の場合と同様にデータ信号２６の立ち上がりと同時か、あるいは、それよりも後で行うようにしても、予備書き込みの効果を期待できるが、少しでも早くゲート信号２８をオン電圧にした方が効率が良いため、本実施形態の予備走査では、ゲート信号２８は、データ信号２６の立ち上がりよりも早く立ち上がるようにしている。
【００３４】
（本発明の液晶表示パネルの駆動方法の第２実施形態・・図３、図４）
図３は本発明の液晶表示パネルの駆動方法の第２実施形態を示す電圧波形図である。本実施形態においては、データ信号２６の極性を１水平走査期間毎に反転させる。そして、各画素に所定の画素電圧を書き込むための本走査期間Ａの５走査期間前から４走査期間前にかけて予備走査期間Ｂを設定する。
【００３５】
予備走査では、ゲート信号２８をデータ信号２６が立ち上がる直前に立ち上げ、データ信号２６の極性が反転する前にゲート信号を立ち下げる。本走査では、ゲート信号２８をデータ信号２６よりも後で立ち上げ、データ信号２６の極性が反転する前にゲート信号２８を立ち下げる。
【００３６】
本実施形態によれば、本走査では、ゲート信号２８をデータ信号２６よりも後で立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【００３７】
図４は本実施形態の具体例を示しており、解像度がＵＸＧＡ（縦１２００×横１６００画素）の場合を例にしている。この場合、１水平走査期間は約１３μｓである。データホールド時間は、ゲート線１６の負荷によって決まるが、本具体例では約３μｓとし、ゲートオン電圧は約３０Ｖ、データ電圧保持期間中のゲートオフ電圧は約−５Ｖとしている。
【００３８】
液晶は、いわゆるノーマリブラック（ＮＢ）型としており、全白のデータ信号電圧は約１１Ｖ、全黒のデータ信号電圧は約１．５Ｖ、データ信号中心は約６Ｖとしている。図４では、表示パターンは全面全白の例を示している。
【００３９】
また、予備走査では、ゲート信号２８はデータ信号よりも約３μｓ早く立ち上がるようにし、本走査では、ゲート信号２８はデータ信号よりも約１μｓ程度遅く立ち上がるようにしている。
【００４０】
（本発明の液晶表示パネルの駆動方法の第３実施形態・・図５、図６）
図５は本発明の液晶表示パネルの駆動方法の第３実施形態を示す電圧波形図である。本実施形態においては、データ信号２６の極性を１水平走査期間毎に反転させる。そして、各画素に所定の画素電圧を書き込むための本走査期間Ａの４走査期間前に予備走査期間Ｂを設定し、予備走査及び本走査では、ゲート信号２８をデータ信号２６よりも後で立ち上げ、データ信号２６の極性が反転する前にゲート信号２８を立ち下げる。
【００４１】
本実施形態によれば、本走査では、ゲート信号２８をデータ信号２６よりも後で立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【００４２】
また、予備走査でも、ゲート信号２８をデータ信号２６よりも後で立ち上げるとしているので、図３に示す駆動方法に比較して予備書き込みの効率は若干劣るが、ゲート信号２８のデータ信号２６に対するタイミングが予備走査でも本走査でも同じであるから、回路を簡略化することができる。
【００４３】
図６は本実施形態の具体例を示しており、図４に示す具体例と同様に解像度がＵＸＧＡ（縦１２００×横１６００画素）の場合を例にしている。本具体例では、予備走査におけるゲート信号２８の立ち上がりを本走査の場合と同様にデータ信号２６よりも約１μｓ程度遅くしており、その他については、図４に示す具体例と同様にしている。
【００４４】
（本発明の液晶表示パネルの駆動方法の第４実施形態・・図７、図８）
図７は本発明の液晶表示パネルの駆動方法の第４実施形態を示す電圧波形図である。本実施形態においては、データ信号２６の極性を１水平走査期間毎に反転させるようにする。そして、各画素に所定の画素電圧を書き込むための本走査期間Ａの５走査期間前から４走査期間前にかけて予備走査期間Ｂを設定する。
【００４５】
予備走査では、ゲート信号２８をデータ信号２６が立ち上がる直前に立ち上げ、データ信号２６の極性が反転する前にゲート信号２８を立ち下げる。本走査では、ゲート信号２８をデータ信号２６よりも後で立ち上げ、データ信号２６の極性が反転する前にゲート信号２８を立ち下げる。更に、予備走査後のゲートオフ電圧を本走査後のデータ電圧保持期間のゲートオフ電圧よりも高くする。なお、本走査では、ゲート信号２８をデータ信号２６と同時に立ち上げるようにしても良い。
【００４６】
本実施形態によれば、本走査では、ゲート信号２８をデータ信号２６と同時に立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【００４７】
また、予備走査後のゲートオフ電圧を本走査後のデータ電圧保持期間のゲートオフ電圧よりも高くするとしているので、予備書き込み後の画素電圧２９の変動量ΔＶｓを小さくすることができ、この点からも、書き込みの効率の向上を図ることができる。
【００４８】
ここで、予備書き込み後の画素電圧２９の変動量ΔＶｓは、ＴＦＴ１７のゲートと画素電極１８との間の寄生容量によってゲート信号２８の変動が伝播して生じる画素電圧変動の大きさであり、ゲート信号２８の立ち下がり電圧の大きさに比例する。
【００４９】
そこで、本実施形態では、予備書き込み完了時のゲート信号２８の立ち下がりを小さくすることで、画素電圧２９の変動量ΔＶｓを小さくし、これによって、予備書き込み後の画素電圧２９と本走査で書き込むデータ電圧の差を小さくし、書き込みの効率の向上を図るとしている。
【００５０】
図８は本実施形態の具体例を示しており、図４に示す具体例と同様に解像度がＵＸＧＡ（縦１２００×横１６００画素）の場合を例にしている。本具体例では、予備走査後のゲートオフ電圧を０Ｖ、本走査後のデータ電圧保持期間の電圧を約−５Ｖとしており、その他については、図４に示す具体例と同様にしている。
【００５１】
なお、予備走査においても、本走査の場合と同様に、ゲート信号２８をデータ信号２６と同時に立ち上げ、データ信号２６の極性が反転する前にゲート信号２８を立ち下げるようにしても良い。
【００５２】
（本発明の液晶表示パネルの駆動方法の第５実施形態・・図９〜図１２）
図９は本発明の液晶表示パネルの駆動方法の第５実施形態を示す電圧波形図である。本実施形態においては、データ信号２６の極性を１水平走査期間毎に反転させ、かつ、データ電圧は、極性反転後の一定期間は表示電圧とするが、極性反転後の一定期間経過後は、表示電圧によらず、常に、中間調の電圧になる予備書き込みデータ電圧期間Ｃを持たせる。
【００５３】
そして、本走査期間Ａの偶数走査期間前に２回の予備走査期間Ｂ１、Ｂ２を設定する。例えば、本走査期間Ａの８走査期間前及び４走査期間前に予備走査期間Ｂ１、Ｂ２を設定する。
【００５４】
予備走査では、予備書き込みデータ電圧期間Ｃの開始前後にゲート信号２８を立ち上げ、予備書き込みデータ電圧期間Ｃが終了する前にゲート信号２８を立ち下げる。本走査では、ゲート信号２８をデータ信号２６と同時に立ち上げ、予備書き込みデータ電圧期間Ｃになる前にゲート信号２８を立ち下げる。
【００５５】
本実施形態によれば、本走査では、ゲート信号２８をデータ信号２６と同時に立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【００５６】
また、予備書き込みデータ電圧は、表示パターンに依存しないので、常に同じ効果を期待することができる。予備書き込みデータ電圧期間Ｃを設けることで、本走査に利用できる期間が短くなるが、２回の予備走査期間Ｂ１、Ｂ２を設け、予備書き込みの効果を向上させるようにしているので、問題は生じない。
【００５７】
なお、予備書き込みデータ電圧は、全白と全黒の間で必要に応じて定めれば良い。例えば、パネル輝度特性を考慮するのであれば、中間調に対応するデータ電圧に定め、電圧値を重視するのであれば、全白と全黒のデータ電圧の平均値に定めれば良い。
【００５８】
図１０は本実施形態で使用するゲート信号の生成方法を説明するための電圧波形図であり、ＧＣＬＫ、ＧＳＴ、ＯＥ１〜ＯＥ３はタイミング生成回路２５からゲート駆動回路２２に与えられる信号であり、ＧＣＬＫはゲートクロック信号、ＧＳＴはスタート信号、ＯＥ１〜ＯＥ３はアウトプットイネーブル信号である。ＯＵＴ１〜ＯＵＴ６は第１水平ライン〜第６水平ラインのゲート線１６に出力されるゲート信号を示している。
【００５９】
即ち、本実施形態では、ゲート駆動回路２２において、第１、第２、・・・、第ｍ（例えば、１２００）水平ラインに対応させて、Ｈレベル電圧をゲートオン電圧（３０Ｖ）とし、Ｈレベル・パルス幅をゲートクロック信号ＧＣＬＫの１周期とするゲート信号生成用信号ＧＰが３水平走査期間の間隔をもって、かつ、前水平ラインのゲート信号生成用信号ＧＰとの間に１水平期間の遅延差をもって３個生成する。
【００６０】
そして、第１、第４、・・・、第３Ｎ＋１水平ラインでは、ゲート信号生成用信号ＧＰのＨレベルをアウトプットイネーブル信号ＯＥ１のＨレベルでＶｇｏｆｆとすることによりゲート信号２８を生成する。第２、第５、・・・、第３Ｎ＋２水平ラインでは、ゲート信号生成用信号ＧＰのＨレベルをアウトプットイネーブル信号ＯＥ２のＨレベルでＶｇｏｆｆとすることによりゲート信号２８を生成する。第３、第６、・・・、第３Ｎ＋３水平ラインでは、ゲート信号生成用信号ＧＰのＨレベルをアウトプットイネーブル信号ＯＥ３のＨレベルでＶｇｏｆｆとすることによりゲート信号２８を生成する。
【００６１】
図１１は本実施形態の第１具体例を示しており、図４に示す具体例と同様に解像度がＵＸＧＡ（縦１２００×横１６００画素）の場合を例にしている。本具体例では、データ信号２６は、１水平走査期間毎に極性が反転するが、反転後、約８μｓ後に予備書き込みデータ電圧期間Ｃになる。
【００６２】
液晶の特性上、中間調を表示するためのデータ電圧は、必ずしも全白と全黒のデータ電圧の中間ではない。一般には、全白と全黒のデータ電圧の中間より全黒に近い電圧になる。本具体例では、予備書き込みデータ電圧は、＋８．６Ｖ／＋３．４Ｖとしている。
【００６３】
図１２は本実施形態の第２具体例を示しており、図４に示す具体例と同様に解像度がＵＸＧＡ（縦１２００×横１６００画素）の場合を例にしている。本具体例では、予備書き込みデータ電圧は、全白と全黒のデータ電圧の概ね中間の電圧である＋１０．７５Ｖ／＋１．２５Ｖとしている。
【００６４】
なお、２回目の予備走査期間Ｂ２と本走査期間Ａの間のゲートオフ電圧を本走査期間Ａの終了後のデータ電圧保持期間のゲートオフ電圧よりも高くするようにしても良い。
【００６５】
（本発明の液晶表示パネルの駆動方法の第６実施形態・・図１３、図１４）
図１３は本発明の液晶表示パネルの駆動方法の第６実施形態を示す電圧波形図である。本実施形態では、データ信号２６の極性を１水平走査期間毎に反転させ、かつ、データ電圧は、極性反転後の一定期間は表示電圧とするが、極性反転後の一定期間経過後は、表示電圧によらず、常に一定の書き込みデータ電圧になる予備書き込みデータ電圧期間Ｃを持たせる。
【００６６】
予備書き込みデータ電圧は、「中間調のデータ電圧」、「全白と全黒のデータ電圧の平均値」、「本走査の表示階調と同じ階調データ電圧」、又は、「１フレーム分のデータ線沿いの画素の平均階調のデータ電圧」等に対してΔＶｓ（予備書き込み後の画素電圧２９の変動量）だけ高い電圧とする。
【００６７】
そして、本走査期間Ａの偶数走査期間前に２回の予備走査期間Ｂ１、Ｂ２を設定する。例えば、本走査期間Ａの８走査期間前及び４走査期間前に予備走査期間Ｂ１、Ｂ２を設定する。
【００６８】
予備走査では、予備書き込みデータ電圧期間Ｃの開始前後にゲート信号２８を立ち上げ、予備書き込みデータ電圧期間Ｃが終了する前にゲート信号２８を立ち下げる。本走査では、ゲート信号２８をデータ信号２６と同時に立ち上げ、予備書き込みデータ電圧期間Ｃになる前にゲート信号２８を立ち下げる。
【００６９】
本実施形態によれば、本走査では、ゲート信号２８をデータ信号２６と同時に立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【００７０】
また、本実施形態では、予備書き込みデータ電圧を「中間調のデータ電圧」等に対してΔＶｓ（予備書き込み後の画素電圧２９の変動量）だけ高い電圧としているので、予備書き込みの効率を向上させることができる。
【００７１】
図１４は本実施形態の具体例を示しており、図４に示す具体例と同様に解像度がＵＸＧＡ（縦１２００×横１６００画素）の場合を例にしている。予備書き込みデータ電圧は、全白と全黒のデータ電圧の概ね中間電圧である＋１０．１Ｖ／＋４．９Ｖとしている。
【００７２】
なお、２回目の予備走査期間Ｂ２と本走査期間Ａの間のゲートオフ電圧を本走査期間Ａの終了後のデータ電圧保持期間のゲートオフ電圧よりも高くするようにしても良い。
【００７３】
（本発明の液晶表示パネルの駆動方法の第７実施形態・・図１５、図１６）
図１５は本発明の液晶表示パネルの駆動方法の第７実施形態を示す電圧波形図である。本実施形態では、データ信号２６の極性を１水平走査期間毎に反転させ、かつ、データ電圧は、極性反転後の一定期間は、表示電圧とするが、極性反転後の一定期間経過後は、表示電圧によらず、常に一定の書き込みデータ電圧になる予備書き込みデータ電圧期間Ｃを持たせる。予備書き込みデータ電圧は、１フレーム毎に、かつ、各データ線毎に、データ線沿いの全ての画素の表示電圧を平均した平均電圧とする。
【００７４】
そして、本走査期間Ａの偶数走査期間前に２回の予備走査期間Ｂ１、Ｂ２を設定する。例えば、本走査期間Ａの８走査期間前及び４走査期間前に予備走査期間Ｂ１、Ｂ２を設定する。
【００７５】
予備走査では、予備書き込みデータ電圧期間Ｃの開始前後にゲート信号２８を立ち上げ、予備書き込みデータ電圧期間Ｃの終了前にゲート信号２８を立ち下げる。本走査では、ゲート信号２８をデータ信号２６と同時に立ち上げ、予備書き込みデータ電圧期間Ｃになる前にゲート信号２８を立ち下げる。
【００７６】
図１６は本実施形態で使用する予備書き込みデータ電圧の生成方法を説明するための流れ図である。本実施形態を実行する場合には、本発明の液晶表示装置の第１実施形態に１フレーム分のデータ信号を記憶する画像メモリを備えるようにし、１フレーム分のデータ信号を画像メモリに格納する（ステップＰ１）。
【００７７】
次に、演算部によって、画像メモリ内のデータ信号を用いて、各データ線毎にデータ線沿いの全ての画素の表示階調を平均した平均階調を算出し（ステップＰ２）、算出された平均階調に対応するデータ電圧を予備書き込みデータ電圧に設定し（ステップＰ３）、予備書き込みデータ電圧期間Ｃに出力する（ステップＰ４）。
【００７８】
ここで、平均値の取り方は、データ極性によらず全ての階調の平均をとるか、あるいは、正極データと負極データの平均階調を別々に算出して、それぞれの極性のデータを予備書き込みデータ電圧にするなどの方法が考えられるが、効果と必要な回路に要するコストなどを勘案して選択すればよい。
【００７９】
本実施形態によれば、本走査では、ゲート信号２８をデータ信号２６と同時に立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【００８０】
なお、２回目の予備走査期間Ｂ２と本走査期間Ａの間のゲートオフ電圧を本走査期間Ａの終了後のデータ電圧保持期間のゲートオフ電圧よりも高くするようにしても良い。
【００８１】
（本発明の液晶表示パネルの駆動方法の第８実施形態・・図１７、図１８）
図１７は本発明の液晶表示パネルの駆動方法の第８実施形態を示す電圧波形図である。本実施形態では、データ信号２６の極性を１水平走査期間毎に反転させ、かつ、データ信号電圧は、極性反転後の一定期間は、表示電圧とするが、極性反転後の一定期間経過後は、常に一定の書き込みデータ電圧になる予備書き込みデータ電圧期間Ｃを持たせる。
【００８２】
そして、本走査期間Ａの偶数走査期間前に２回の予備走査期間Ｂ１、Ｂ２を設定する。例えば、本走査期間Ａの８走査期間前及び４走査期間前に予備走査期間Ｂ１、Ｂ２を設定する。
【００８３】
予備走査では、予備書き込みデータ電圧期間Ｃの開始前後にゲート信号２８を立ち上げ、予備書き込みデータ電圧期間Ｃの終了前にゲート信号２８を立ち下げる。本走査では、ゲート信号２８をデータ信号２６と同時に立ち上げ、予備書き込みデータ電圧期間Ｃになる前にゲート信号２８を立ち下げる。
【００８４】
本実施形態では、予備走査期間Ｂ２に書き込むべき予備書き込みデータ電圧は本走査でのデータ電圧と同一電圧とする。図１８は予備走査期間Ｂ２に書き込むべき予備書き込みデータ電圧の生成方法を説明するための流れ図である。
【００８５】
本実施形態を実行する場合には、本発明の液晶表示装置の第１実施形態に１フレーム分のデータ信号を記憶する画像メモリを備えるようにし、１フレーム分のデータ信号を画像メモリに格納する（ステップＱ１）。
【００８６】
次に、演算部によって、画像メモリ内のデータ信号を用いて、本走査で書き込まれるデータ電圧を算出し（ステップＱ２）、算出されたデータ電圧を予備走査期間Ｂに対応する予備書き込みデータ電圧に設定し（ステップＱ３）、予備書き込みデータ電圧期間Ｃに出力される（ステップＱ４）。
【００８７】
本実施形態によれば、本走査では、ゲート信号２８をデータ信号２６と同時に立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【００８８】
なお、２回目の予備走査期間Ｂ２と本走査期間Ａの間のゲートオフ電圧を本走査期間Ａの終了後のデータ電圧保持期間のゲートオフ電圧よりも高くするようにしても良い。
【００８９】
（本発明の液晶表示装置の第２実施形態・・図１９、図２０）
図１９は本発明の液晶表示装置の第２実施形態の要部を示す概略的構成図であり、本発明の液晶表示パネルの駆動方法の第９実施形態〜第１１実施形態を実行するための液晶表示装置の要部を示す回路図である。
【００９０】
本発明の液晶表示装置の第２実施形態は、図１に示す本発明の液晶表示装置の第１実施形態が備える内部電圧生成回路２３及びタイミング生成回路２５と機能が異なる内部電圧生成回路３０及びタイミング生成回路３１を設けると共に、ゲートオン電圧切り替え回路３２を設け、その他については、図１に示す本発明の液晶表示装置の第１実施形態と同様に構成したものである。
【００９１】
内部電圧生成回路３０は、入力電源Ｖｉｎに基づいて内部電源電圧Ｖｃｃ、参照電圧Ｖｒｅｆ、ゲートオン電圧Ｖｇｏｎ１（例えば、２０Ｖ）、Ｖｇｏｎ２（例えば、３０Ｖ）、及び、ゲートオフ電圧Ｖｇｏｆｆ（例えば、−５Ｖ）を生成するものである。
【００９２】
タイミング生成回路３１は、データ信号源（例えば、パソコン）から与えられるデータ信号、同期信号及びクロック信号等を入力し、ソース駆動回路２１に対するデータ信号及び制御信号の供給、ゲート駆動回路２２に対する制御信号の供給及びゲートオン電圧切り替え回路３２に対するゲートオン電圧切り替え信号Ｖ＿ＳＥＬ、ＸＶ＿ＳＥＬの供給等を行うものである。
【００９３】
ゲートオン電圧切り替え回路３２は、内部電圧生成回路３０が出力するゲートオン電圧Ｖｇｏｎ１、Ｖｇｏｎ２を入力して、いずれかをゲートオン電圧Ｖｇｏｎとしてゲート駆動回路２２に供給するものである。
【００９４】
図２０はゲートオン電圧切り替え回路３２の構成を示す回路図である。図２０中、３３はゲートオン電圧Ｖｇｏｎ１の入力ノード、３４はゲートオン電圧Ｖｇｏｎ２の入力ノード、３５はゲートオン電圧Ｖｇｏｎの出力ノードである。
【００９５】
３６はゲートオン電圧Ｖｇｏｎ１に対応して設けられているスイッチ回路であり、３７〜４０は抵抗、４１、４２はＮＭＯＳトランジスタ、４３はＰＭＯＳトランジスタである。４４はゲートオン電圧Ｖｇｏｎ２に対応して設けられているスイッチ回路であり、４５〜４８は抵抗、４９、５０はＮＭＯＳトランジスタ、５１はＰＭＯＳトランジスタである。
【００９６】
このように構成されたゲートオン電圧切り替え回路３２においては、ゲートオン電圧切り替え信号Ｖ＿ＳＥＬ＝Ｌレベル、ＸＶ＿ＳＥＬ＝Ｈレベルのときは、スイッチ回路３６においては、ＮＭＯＳトランジスタ４１＝ＯＦＦ、ＮＭＯＳトランジスタ４２＝ＯＮ、ＰＭＯＳトランジスタ４３＝ＯＮとなる。
【００９７】
これに対して、スイッチ回路４４においては、ＮＭＯＳトランジスタ４９＝ＯＮ、ＮＭＯＳトランジスタ５０＝ＯＦＦ、ＰＭＯＳトランジスタ５１＝ＯＦＦとなる。したがって、この場合には、ゲートオン電圧Ｖｇｏｎとして、ゲートオン電圧Ｖｇｏｎ１がゲート駆動回路２２に供給される。
【００９８】
逆に、ゲートオン電圧切り替え信号Ｖ＿ＳＥＬ＝Ｈレベル、ＸＶ＿ＳＥＬ＝Ｌレベルのときは、スイッチ回路３６では、ＮＭＯＳトランジスタ４１＝ＯＮ、ＮＭＯＳトランジスタ４２＝ＯＦＦ、ＰＭＯＳトランジスタ４３＝ＯＦＦとなる。
【００９９】
これに対して、スイッチ回路４４では、ＮＭＯＳトランジスタ４９＝ＯＦＦ、ＮＭＯＳトランジスタ５０＝ＯＮ、ＰＭＯＳトランジスタ５１＝ＯＮとなる。したがって、この場合には、ゲートオン電圧Ｖｇｏｎとして、ゲートオン電圧Ｖｇｏｎ２がゲート駆動回路２２に供給される。
【０１００】
本発明の液晶表示装置の第２実施形態においては、液晶表示パネル１４は、次に説明する本発明の液晶表示パネルの駆動方法の第９実施形態〜第１１実施形態で駆動されるが、本発明の液晶表示装置の第２実施形態は、この点に特徴を有している。
【０１０１】
（本発明の液晶表示パネルの駆動方法の第９実施形態・・図２１）
図２１は本発明の液晶表示パネルの駆動方法の第９実施形態を示す電圧波形図である。本実施形態においては、予備走査期間Ｂのゲートオン電圧よりも本走査期間Ａのゲートオン電圧を高くしている。その他については、図２に示す駆動方法と同一としている。
【０１０２】
本実施形態によれば、本走査では、ゲート信号２８をデータ信号２６と同時に立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【０１０３】
また、本実施形態では、本走査期間Ａは１水平走査期間よりも短いが、予備走査期間Ｂのゲートオン電圧よりも本走査期間Ａのゲートオン電圧を高くしているので、本走査期間Ａにおける書き込みの高速化により、十分な書き込みを行うことができ、この点からも、書き込みの効率の向上を図ることができる。
【０１０４】
なお、予備走査期間Ｂと本走査期間Ａとの間のゲートオフ電圧を本走査期間Ａの終了後のデータ電圧保持期間のゲートオフ電圧よりも高くするようにしても良い。
【０１０５】
（本発明の液晶表示パネルの駆動方法の第１０実施形態・・図２２）
図２２は本発明の液晶表示パネルの駆動方法の第１０実施形態）を示す電圧波形図である。本実施形態においては、本走査期間Ａのゲートオン電圧よりも予備走査期間Ｂのゲートオン電圧を高くしている。その他については、図２に示す駆動方法と同一としている。
【０１０６】
本実施形態によれば、本走査では、ゲート信号２８をデータ信号２６と同時に立ち上げるとしているので、垂直方向の１画素前のデータ信号がいかなる電圧であっても、その影響を受けないようにすることができる。この結果、プロセス負荷やコストの増加を招くことなく、予備書き込みの効果を十分に享受して書き込みの効率の向上を図ることができる。
【０１０７】
また、本実施形態では、本走査期間Ａは１水平走査期間よりも短いが、本走査期間Ａのゲートオン電圧よりも予備走査期間Ｂのゲートオン電圧を高くしているので、予備走査期間Ｂにおける予備書き込みの高速化により十分な予備書き込みを行うことができ、この点からも、書き込みの効率の向上を図ることができる。
【０１０８】
なお、予備走査走期間Ｂと本走査期間Ａとの間のゲートオフ電圧を本走査期間Ａの終了後のデータ電圧保持期間のゲートオフ電圧よりも高くするようにしても良い。
【０１０９】
（本発明の液晶表示パネルの駆動方法の第１１実施形態・・図２３、図２４）
図２３は本発明の液晶表示パネルの駆動方法の第１１実施形態を示す電圧波形図である。本実施形態においては、予備走査期間Ｂのゲートオン電圧よりも本走査期間Ａのゲートオン電圧を高くしている。その他については、図９に示す駆動方法と同一としている。
【０１１０】
本実施形態によれば、本走査では、ゲート信号２８をデータ信号２６と同時に立ち上げるとしているので、垂直方向の１画素前のデータ信号２６がいかなる電圧であっても、その影響を受けないようにすることができる。この結果、プロセス負荷やコストの増加を招くことなく、予備書き込みの効果を十分に享受して書き込みの効率の向上を図ることができる。
【０１１１】
また、本実施形態では、本走査期間Ａは１水平走査期間よりも短いが、予備走査期間Ｂのゲートオン電圧よりも本走査期間Ａのゲートオン電圧を高くしているので、本走査期間Ａにおける書き込みの高速化により、十分な書き込みを行うことができ、この点からも、書き込みの効率の向上を図ることができる。
【０１１２】
図２４は本実施形態で使用するゲート信号の生成方法を説明するための電圧波形図であり、Ｖ＿ＳＥＬ、ＸＶ＿ＣＬＫはタイミング生成回路３１からゲートオン電圧切り替え回路３２に与えられるゲートオン電圧切り替え信号、ＧＣＬＫ、ＧＳＴ、ＯＥ１〜ＯＥ３はタイミング生成回路３１からゲート駆動回路２２に与えられる信号であり、ＧＣＬＫはゲートクロック信号、ＧＳＴはスタート信号ＧＳＴ、ＯＥ１〜ＯＥ３はアウトプットイネーブル信号である。ＯＵＴ１〜ＯＵＴ６は第１水平ライン〜第６水平ラインのゲート線に出力されるゲート信号２８を示している。
【０１１３】
即ち、本実施形態では、ゲート駆動回路２２において、第１、第２、・・・、第ｍ（例えば、１２００）水平ラインに対応させて、Ｈレベル電圧をゲートオン電圧（３０Ｖ）とし、Ｈレベル・パルス幅をゲートクロック信号ＧＣＬＫの１周期とするゲート信号生成用信号ＧＰが３水平走査期間の間隔をもって、かつ、前水平ラインのゲート生成用信号ＧＰとの間に１水平期間の遅延差をもって３個生成する。ただし、１個目、２個目のゲート信号生成用信号ＧＰはゲートオン電圧Ｖｇｏｎ１（例えば、２０Ｖ）、３個目のゲート信号生成用信号ＧＰはゲートオン電圧Ｖｇｏｎ２（例えば、３０Ｖ）とする。
【０１１４】
そして、第１、第４、・・・、第３Ｎ＋１水平ラインでは、ゲート信号生成用信号ＧＰのＨレベルをアウトプットイネーブル信号ＯＥ１のＨレベルでＶｇｏｆｆとすることによりゲート信号２８を生成する。第２、第５、・・・、第３Ｎ＋２水平ラインでは、ゲート信号生成用信号ＧＰのＨレベルをアウトプットイネーブル信号ＯＥ２のＨレベルでＶｇｏｆｆとすることによりゲート信号２８を生成する。第３、第６、・・・、第３Ｎ＋３水平ラインでは、ゲート信号生成用信号ＧＰのＨレベルをアウトプットイネーブル信号ＯＥ３のＨレベルでＶｇｏｆｆとすることによりゲート信号２８を生成する。
【０１１５】
なお、本発明の液晶表示パネルの駆動方法の第１実施形態〜第１１実施形態では、データ信号の極性を１水平走査期間毎に変えるようにした（ドット反転駆動方法、横反転駆動方法）が、本発明の液晶表示パネルの駆動方法は、フレーム反転駆動方法にも適用することができる。
【０１１６】
ここで、本発明の液晶表示パネルの駆動方法及び液晶表示装置を整理すると、本発明の液晶表示パネルの駆動方法及び液晶表示装置には、以下に述べる液晶表示パネルの駆動方法及び液晶表示装置が含まれる。
【０１１７】
（付記１）アクティブマトリクス型の液晶表示パネルの駆動方法であって、各水平ラインについて予備走査と本走査を行い、該本走査でのゲート信号の立ち上がりタイミングをデータ信号の変化タイミング以降とすることを特徴とする液晶表示パネルの駆動方法。
【０１１８】
（付記２）前記予備走査でのゲート信号のデータ信号に対する立ち上がりタイミングを前記本走査でのゲート信号のデータ信号に対する立ち上がりタイミングと同一としていることを特徴とする付記１記載の液晶表示パネルの駆動方法。
【０１１９】
（付記３）アクティブマトリクス型の液晶表示パネルの駆動方法であって、各水平ラインについて予備走査と本走査を行い、前記予備走査でのゲート信号のオン電圧と前記本走査でのゲート信号のオン電圧を異なるようにすることを特徴とする液晶表示パネルの駆動方法。
【０１２０】
（付記４）アクティブマトリクス型の液晶表示パネルの駆動方法であって、各水平ラインについて予備走査と本走査を行い、予備走査期間と本走査期間を異なる長さにすることを特徴とする液晶表示パネルの駆動方法。
【０１２１】
（付記５）アクティブマトリクス型の液晶表示パネルの駆動方法であって、各水平ラインについて予備走査と本走査を行い、１走査期間の内、所定の期間を予備書き込みデータ電圧期間に割り当て、該予備書き込みデータ電圧期間中のデータ電圧を所定の予備書き込みデータ電圧とすることを特徴とする液晶表示パネルの駆動方法。
【０１２２】
（付記６）前記所定の予備書き込みデータ電圧は、中間調のデータ電圧であることを特徴とする付記５記載の液晶表示パネルの駆動方法。
【０１２３】
（付記７）前記所定の予備書き込みデータ電圧は、本走査でのデータ信号の極性と同じ極性の全白と全黒の電圧の中間の電圧であることを特徴とする付記５記載の液晶表示パネルの駆動方法。
【０１２４】
（付記８）前記所定の予備書き込みデータ電圧は、データ線沿いの画素についての１フレーム期間中の平均階調電圧であることを特徴とする付記５記載の液晶表示パネルの駆動方法。
【０１２５】
（付記９）前記所定の予備書き込みデータ電圧は、前記予備走査が前記本走査の直前の予備走査の場合には、本走査期間のデータ電圧であることを特徴とする付記５記載の液晶表示パネルの駆動方法。
【０１２６】
（付記１０）前記予備書き込みデータ電圧は、前記予備走査の終了時のゲート信号の立ち下がりによる画素電圧変動量の分だけ補正をした電圧であることを特徴とする付記５〜９のいずれかに記載の液晶表示パネルの駆動方法。
【０１２７】
（付記１１）アクティブマトリクス型の液晶表示パネルの駆動方法であって、各水平ラインについて予備走査と本走査を行い、予備走査期間と本走査期間の間のゲートオフ電圧を前記本走査期間終了後のゲートオフ電圧よりも高くすることを特徴とする液晶表示パネルの駆動方法。
【０１２８】
（付記１２）アクティブマトリクス型の液晶表示パネルを有する液晶表示装置であって、前記液晶表示パネルを付記１〜１１のいずれかに記載の液晶表示パネルの駆動方法で駆動することを特徴とする液晶表示装置。
【０１２９】
【発明の効果】
以上のように、本発明によれば、本走査でのゲート信号の立ち上がりタイミングをデータ信号の変化タイミング以降としたことにより、垂直方向の１画素前のデータ信号がいかなる電圧であっても、その影響を受けないようにすることができるので、プロセス負荷やコストの増加を招くことなく、予備書き込みの効果を十分に享受して書き込みの効率の向上を図ることができ、より優れた表示特性を得ることができる。
【図面の簡単な説明】
【図１】本発明の液晶表示装置の第１実施形態の要部を示す概略的構成図ある。
【図２】本発明の液晶表示パネルの駆動方法の第１実施形態を示す電圧波形図である。
【図３】本発明の液晶表示パネルの駆動方法の第２実施形態を示す電圧波形図である。
【図４】本発明の液晶表示パネルの駆動方法の第２実施形態の具体例を示す電圧波形図である。
【図５】本発明の液晶表示パネルの駆動方法の第３実施形態を示す電圧波形図である。
【図６】本発明の液晶表示パネルの駆動方法の第３実施形態の具体例を示す電圧波形図である。
【図７】本発明の液晶表示パネルの駆動方法の第４実施形態を示す電圧波形図である。
【図８】本発明の液晶表示パネルの駆動方法の第４実施形態の具体例を示す電圧波形図である。
【図９】本発明の液晶表示パネルの駆動方法の第５実施形態を示す電圧波形図である。
【図１０】本発明の液晶表示パネルの駆動方法の第５実施形態で使用するゲート信号の生成方法を説明するための電圧波形図である。
【図１１】本発明の液晶表示パネルの駆動方法の第５実施形態の第１具体例を示す電圧波形図である。
【図１２】本発明の液晶表示パネルの駆動方法の第５実施形態の第２具体例を示す電圧波形図である。
【図１３】本発明の液晶表示パネルの駆動方法の第６実施形態を示す電圧波形図である。
【図１４】本発明の液晶表示パネルの駆動方法の第６実施形態の具体例を示す電圧波形図である。
【図１５】本発明の液晶表示パネルの駆動方法の第７実施形態を示す電圧波形図である。
【図１６】本発明の液晶表示パネルの駆動方法の第７実施形態で使用する予備書き込みデータ電圧の生成方法を説明するための流れ図である。
【図１７】本発明の液晶表示パネルの駆動方法の第８実施形態を示す電圧波形図である。
【図１８】本発明の液晶表示パネルの駆動方法の第８実施形態で使用する予備書き込みデータ電圧の生成方法を説明するための流れ図である。
【図１９】本発明の液晶表示装置の第２実施形態の要部を示す概略的構成図である。
【図２０】本発明の液晶表示装置の第２実施形態が備えるゲートオン電圧切り替え回路の構成を示す回路図である。
【図２１】本発明の液晶表示パネルの駆動方法の第９実施形態を示す電圧波形図である。
【図２２】本発明の液晶表示パネルの駆動方法の第１０実施形態を示す電圧波形図である。
【図２３】本発明の液晶表示パネルの駆動方法の第１１実施形態を示す電圧波形図である。
【図２４】本発明の液晶表示パネルの駆動方法の第１１実施形態で使用するゲート信号の生成方法を説明するための電圧波形図である。
【図２５】従来の液晶表示装置の一例の要部の概略的構成図である。
【図２６】従来の液晶表示パネルの駆動方法の一例を示す電圧波形図である。
【図２７】図２６に示す従来の液晶表示パネルの駆動方法が有する問題点を説明するための電圧波形図である。
【図２８】図２６に示す従来の液晶表示パネルの駆動方法が有する問題点を説明するための電圧波形図である。
【符号の説明】
２・・・データ線
３・・・ゲート線
４・・・ＴＦＴ
５・・・画素電極
６・・・対向電極
７・・・液晶
１５・・・データ線
１６・・・ゲート線
１７・・・ＴＦＴ
１８・・・画素電極
１９・・・対向電極
２０・・・液晶
【図１】
2004301989.tif 000003
【図２】
2004301989.tif 000004
【図３】
2004301989.tif 000005
【図４】
2004301989.tif 000006
【図５】
2004301989.tif 000007
【図６】
2004301989.tif 000008
【図７】
2004301989.tif 000009
【図８】
2004301989.tif 000010
【図９】
2004301989.tif 000011
【図１０】
2004301989.tif 000012
【図１１】
2004301989.tif 000013
【図１２】
2004301989.tif 000014
【図１３】
2004301989.tif 000015
【図１４】
2004301989.tif 000016
【図１５】
2004301989.tif 000017
【図１６】
2004301989.tif 000018
【図１７】
2004301989.tif 000019
【図１８】
2004301989.tif 000020
【図１９】
2004301989.tif 000021
【図２０】
2004301989.tif 000022
【図２１】
2004301989.tif 000023
【図２２】
2004301989.tif 000024
【図２３】
2004301989.tif 000025
【図２４】
2004301989.tif 000026
【図２５】
2004301989.tif 000027
【図２６】
2004301989.tif 000028
【図２７】
2004301989.tif 000029
【図２８】
2004301989.tif 000030